(57)【要約】本発明は、使用後、それを、ユーザによって保持されることができる物品に変えることを可能にする手段を有する、単一部材として製造された多機能プラスチックボトルに関する。ボトルの全外形の周囲で接続された円形リングの対で構成された上ウエスト及び下ウエストを含み、二つのリング対の間の接合部が、ボトルを上区分、中間区分及び下区分に切り離すための切断ガイドを画定する。本発明のプラスチックボトルは、プラスチックの技術分野、特に、大量配給及び大量消費液体をパッケージングするためのボトルの製造に関連するプラスチック工業に利用可能である。パッケージングされる製品は、ソフトドリンク、ソーダ、飲料水、調理油及び家庭用洗剤である。
2010516580.tif 000002
【特許請求の範囲】
【請求項１】
単一部材に作られたプラスチック多目的ボトルであって、ボトルの外形の周囲で接続された円形リングの対（３、４、８、９）によって形成された上ベルト（５）及び下ベルト（７）を含み、切断ガイド（１７）が、前記ボトルを上区分（１１）、中間区分（１２）及び下区分（１３）に切り離すための両リング対（３、３、８、９）の接続部を画定している、単一部材に作られたプラスチック多目的ボトル。
【請求項２】
前記上区分（１１）がふた（２）及び前記上ベルト（５）の前記上リング（３）を含む、請求項１記載の単一部材に作られたプラスチック多目的ボトル。
【請求項３】
前記ふた（２）がねじ込み栓（１）を含む、請求項２記載の単一部材に作られたプラスチック多目的ボトル。
【請求項４】
前記ふた（２）の外面に印刷物が設けられている、請求項２記載の単一部材に作られたプラスチック多目的ボトル。
【請求項５】
前記中間区分（１２）が、スカート（６）ならびに前記上ベルト（５）の下リング（４）の上まで及び前記下ベルト（７）の上リング（８）の下までを含む、請求項１記載の単一部材に作られたプラスチック多目的ボトル。
【請求項６】
前記中間区分（１２）に、それが収容する製品に関するラベル及びバーコードを有する印刷物が設けられている、請求項５記載の単一部材に作られたプラスチック多目的ボトル。
【請求項７】
前記中間区分（１２）が捨てられる、請求項１記載の単一部材に作られたプラスチック多目的ボトル。
【請求項８】
前記下区分（１３）が、容器（１０）及び前記下ベルト（７）の下リング（９）の上までを含む、請求項１記載の単一部材に作られたプラスチック多目的ボトル。
【請求項９】
前記容器が従来のグラス（１４）である、請求項８記載の単一部材に作られたプラスチック多目的ボトル。
【請求項１０】
前記容器が貯蔵受け器（１５）である、請求項８記載の単一部材に作られたプラスチック多目的ボトル。
【請求項１１】
前記容器（１０）が任意の形状及び外観を有することができる、請求項８記載の単一部材に作られたプラスチック多目的ボトル。
【請求項１２】
前記容器（１０）の外面に印刷物が設けられている、請求項８記載の単一部材に作られたプラスチック多目的ボトル。
【請求項１３】
前記ふた（２）の前記下リング（３）及び前記容器（１０）の前記上リング（９）が接合されて、両要素で構成されたボトルを形成する、請求項２及び８記載の単一部材に作られたプラスチック多目的ボトル。
【請求項１４】
前記リング（３、９）の接続が外し易いやり方で形成されている、請求項１３記載の単一部材に作られたプラスチック多目的ボトル。
【請求項１５】
前記リング（３、９）の接続が堅固なやり方で形成されている、請求項１３記載の単一部材に作られたプラスチック多目的ボトル。
【発明の詳細な説明】
【技術分野】
【０００１】
発明の目的
本発明は、空になると、ユーザによって保持される有用な物体に変えるための手段を備える、再利用可能な単一部材に作られた多目的プラスチックボトルに関する。
【０００２】
このボトルは、ひとたびボトル内容物が消費されたならば、そのプラスチック構造のかなりの割合をさらなる使用のためにただちにリサイクルすることを可能にし、ひいては、環境に対するかなりのプラスの影響を自動的に保証するように設計されている。これは、多量のプラスチックボトルが日々エンドユーザによって自宅で部分的にリサイクルされることを意味する。この自宅でのリサイクルは、通常の人間活動の影響によって発生するプラスチック廃棄物の量を大幅に減らすであろう。
【０００３】
本発明の目的であるプラスチックボトルは、ボトルの全外形の周囲で接続された円形リングの対によって形成された上ベルト及び下ベルトを含み、両リング対の接続部が、ボトルを上区分と中間区分と下区分とに切り離すための切断ガイドによって画定されている。
【０００４】
本発明の目的である多目的プラスチックボトルは、プラスチックの技術分野に属し、特に、大量流通及び消費のための液体を保持するように設計されたボトルの製造に関連するプラスチック工業に属する。ボトル詰めされる製品は、ソフトドリンク、ソーダ、飲料水、調理油及び家庭用洗浄製品である。
【０００５】
発明の背景
現在社会において、液体は、世界の大部分の国で、１日に何百万個ものプラスチックボトルに詰められ、流通され、販売され、消費されている。通常は大量に流通され、販売されるこれらの液体は、二つのカテゴリー、すなわち、飲料及び非飲料に分類することができる。飲料液体は、通常、ソフトドリンク、ソーダ、ビール、飲料水、ジュース及び家庭用料理油からなる。非飲料液体は、主として、家庭用の洗浄液、洗濯添加剤及び液体石けんである。
【０００６】
現在、これらの液体の大多数は、単一の完全なプラスチックユニットによって形成された従来のプラスチックボトルにパッケージングされ、販売されている。
【０００７】
プラスチック工業では、完全なプラスチックボトルは、二つの方法、すなわち、ＰＥＴ法（ポリエチレンテレフタレート）及びプラスチック射出法（ＨＤＰＥ）によって製造されている。
【０００８】
現在、単一部分として完全なプラスチックボトルを製造するためにＰＥＴ及びプラスチック射出法の両方が使用されている。
【発明の概要】
【発明が解決しようとする課題】
【０００９】
従来のプラスチックボトルは、ひとたびその内容物が消費されたならば完全に捨てられるように設計されており、この使い捨ての概念が、かなりの量のエネルギー及び材料を無駄にし、ひいては、人間活動の持続可能性及び環境に対してマイナスの影響を生み出している。
【００１０】
プラスチックボトルに印刷された一部のラベルは、ひとたびその内容物が消費されたならばそのボトルを捨てるよう推奨しており、また、たとえ飲料水を入れていたものであるとしても、ボトルに物を詰めないないようアドバイスしている。捨てられたプラスチックボトルは、衛生当局によって日々収集されるプラスチック廃棄物の高い割合を占める。従来のプラスチックボトルは、大きな体積及び重量の固体廃棄物を生み出す。
【００１１】
捨てられたプラスチックボトルは通常、ねじ込み栓をその定位置に有する。そのねじ込み栓を定位置に有する従来のプラスチックボトルは、密封容器であり、空気で満たされているため、固体廃棄物を処理する際に圧縮することが非常に難しく、ひいてはさらなる量の問題を招く。これは、多量の捨てられたプラスチックボトルが、衛生当局が固体廃棄物を処理し、管理する際に、プラスチック量という日常問題となることを意味する。その目的のために特定に設計されていない容器に入れて捨ててしまう誤った捨て方が前記マイナスの結果に加わるならば、問題は悪化する。
【００１２】
市町村行政当局は、毎年、リサイクル全般の促進のために多量の材料及び経済資源を費やしている。従来のプラスチックボトルの具体的なケースでは、この促進活動は、主として、完全なプラスチックボトルを正しく処分する方法及びそれらを捨てるのに適切な場所に関して人々を教育し、意識を生じさせることを狙いとしている。
【００１３】
従来のプラスチックボトルは、ひとたびその内容物が消費されたならば、さらに使用されるようには設計されていない。これは、空になると、エンドユーザは、そのプラスチックボトルを捨てる以外にないことを意味する。
【００１４】
本発明の目的であるプラスチックボトルは、上述の課題に対する解決手段を提供するように設計されたものである。本発明の主な目的は、空のプラスチックボトルを、消費者にとって実用的かつ魅力的である二つの有用な物体、たとえば容器及びふたに変えることである。
【００１５】
リサイクルのための最良な方法が、廃棄物を処理又はリサイクルするためのさらなるプロセスを要することなく、消費者が元の容器をただちに再利用することであるということは証明されている。
【００１６】
プラスチックボトルのプラスチック含量の高い割合を直接的に家庭で即座にリサイクルすることは、社会の持続可能性及び環境にとって数多くの恩恵を生み出すであろう。
【００１７】
発明の詳細な説明
本発明は、液体を保持するために使用されたボトルを、そのボトル内容物が消費されたとき、二つの有用な物体に変えるように設計されたタイプのプラスチックボトルに関する。本発明の目的であるプラスチックボトルは、きわめて毒性であるものを除くすべてのタイプの飲料及び非飲料液体を保持するように設計されている。
【００１８】
本発明の目的であるプラスチックボトルの構造は、ボトルの全外形の周囲で接続された円形リングの対によって形成された上ベルト及び下ベルトを含み、両リング対の接続部が、ボトルを上区分と中間区分と下区分とに切り離すための切断ガイドによって画定されている。したがって、円形リングの垂直区分は、プラスチックボトルの外形に基づいて画定される円周の区分である。
【００１９】
プラスチックボトルの構造は、二つのリング対によって接合されて単一部分を形成する三つの区分を含む。これら二つのリング対はボトルを以下のやり方で分割する。
【００２０】
ふたと呼ばれるボトルの上寄り部分によって形成される上区分。
スカートと呼ばれるボトルの中間部分によって形成される中間区分。
容器と呼ばれるボトルの下寄り部分によって形成される下区分。
【００２１】
二つの区分、すなわち上区分及び下区分は、その外面に印刷物が配置されるように設計されている。通常はカラーであるこの印刷物は、装飾、教育、情報提供、広告又は販売促進のモチーフからなることができる。
【００２２】
ボトル内の液体内容物が消費されると、ボトルの三つの区分は、その構造を二つの部分へ機械的に切断することによって容易に切り離されるように設計されている。二つへの機械的切断は、ユーザにより、鋭利な物体又はナイフを用いて、二つのリングの接続部を切断ガイドとして使用して実施することができる。これらの切断を行うと、二つ又は三つの区分を切り離すことができる。
【００２３】
ボトルの下区分は容器になる。この容器は、従来のグラスの形態及び外観に設計されていることもできるし、容器の形態及び外観を有することもできる。容器と呼ばれる下区分には、他の形態及び外観を使用することもできる。
【００２４】
容器は、プラスチックであるため、洗浄可能かつ長期間使用可能であるように設計されている。容器のサイズ及び形態は、ボトルの設計及びボトル中に貯蔵される液体の量に依存しなければならない。
【００２５】
容器は、それを魅力的、有用かつ実用的な物体にする印刷物をその外面に有するため、消費者は、それを捨てるのではなく、その後の使用のために保存することを奨励される。
【００２６】
上区分、すなわちふたは、容器を覆い、その内容物を保護するために使用される、容器の補完部である。ふたは、プラスチックであるため、洗浄可能かつ長期間使用可能であるように設計されている。
【００２７】
ふたは、それを魅力的、有用かつ実用的な物体にする印刷物をその外面に有するため、消費者は、それを捨てるのではなく、その後の使用のために保存することを奨励される。
【００２８】
プラスチックボトルを二つの有用な物体に変えることにより、消費者は、これらの物体を、捨てるのではなく、保存することを推奨されて、このようにして、プラスチックボトルの大部分の実用寿命を延ばし、その際、そのライフサイクルを延ばす。
【００２９】
プラスチックボトルのうち捨てられる唯一の部分は、スカートと呼ばれるボトルの中間部分である。スカートは、ボトルの全プラスチック構造の小さな割合しか占めず、中空であり、両端が開口している大きな利点を有し、そのため、廃棄物処理プロセスで圧縮しやすいであろう。
【００３０】
製品ラベル及びバーコードがスカート部分に印刷又は被着される。これは、容器及びふたの外面の１００％を装飾、教育、情報提供、広告及び販売促進のモチーフの印刷に使用することができることを意味する。
【産業上の利用可能性】
【００３１】
前記にしたがって、プラスチック工業は、本発明の目的であるボトルを製造するために、従来のプラスチックボトルためのその現在の工業生産プロセスをいかなる様にも変更する必要はないであろう。
【００３２】
ＰＥＴ法を使用して多目的プラスチックボトルを製造するのならば、ボトルの輪郭を画定する型の設計を要するだけであろう。
【００３３】
製造プロセスののち、ボトルはゼログラフィーカラー印刷プロセスに移送される。
【００３４】
利点
本発明の目的であるプラスチックボトルは以下の利点を有する。
１．プラスチック多目的ボトルは、プラスチックボトルの概念及び使用を変更することはなく、むしろ、かなりの環境的及び社会的利点をそれに付加する。
２．プラスチック多目的ボトルは、既存の大量生産法を使用して製造されるように設計されている。
３．プラスチック多目的ボトルは、従来のやり方で、液体をパッケージングし、保存し、輸送し、取り扱い、販売し、消費するために使用することができる。
４．容器及びふたの外面は、装飾、教育、情報提供、広告及び販売促進のモチーフのフルカラー印刷のために使用することができる。
５．消費者は、ボトルごとに、その液体内容物とともに、実用的な容器及びふたを受け取ることになる。
６．容器の多数の形態を、エンドユーザによってそれに与えられる様々な用途に適合させることができる。
７．ふたが、そのねじ込み栓が定位置にある状態で容器の上に緩く嵌るように設計されているならば、ふたは、容器の内容物をほこり、虫又は他の環境汚染から保護する。
８．ふたが、容器の上に堅固に嵌るように設計されているならば、ふたは、固体又は液体を保存するのに有用な容器になる。
９．ボトルが二つの部分からなるため、ねじ込み栓を解放することにより、容器内に保持された内容物に容易にアクセスすることができる。
１０．多目的ボトルが空になると、それに物を詰め、従来のボトルとして再利用することができる。
１１．実用的かつ有用な容器及びふたは、それらを保持するようエンドユーザに奨励して、それにより、ボトルのプラスチック含量の即座のリサイクルを達成し、衛生当局によって収集され、処理されるプラスチック廃棄物の最終量を大きく減らす。
１２．ボトルのうち捨てられる唯一の部分、すなわちスカートは、中空であり、両端が開口しており、これは、廃棄物処理プロセスで圧縮しやすいことを意味する。
１３．ボトルのプラスチック含量のこの即座の家庭リサイクルにより、一般の人々は、多量のプラスチックグラスを得て、その結果、従来のグラスの需要が減り、そのような物品の製造に現在使用されているエネルギー及び原料の実質的な節約が生まれる。
【００３５】
本明細書は、決して限定的ではない本発明の好ましい実施態様を示す図面によって補足される。
【図面の簡単な説明】
【００３６】
【図１】完全なプラスチックボトルを示す図である。これは、単一部材に作られたプラスチックボトルである。
【図２】切断ガイドを画定する二つの接合されたリングが見られるところのベルトを示す図である。
【図３】その三つの区分に切り離されたボトルを示す図である。
【図４】ボトルの下区分を示す図である。容器と呼ばれるこの下区分は従来のグラスの形態を有する。
【図５】従来のグラスの形態の容器をふたを配した状態で示す図である。ふたは、グラスの上にぴったり嵌るように設計されている。この図は、ボトル構造に組み込まれていた、いずれも有用な物体に変えられたふたと容器とを切り離した結果を示す。
【図６】ボトルの下区分を示す図である。容器と呼ばれるこの下区分は受け器の形態を有する。
【図７】受け器の形態の容器をふたを配した状態で示す図である。ふたは、下ベルトの下リングの上に堅固に嵌るように設計されている。この図は、ボトル構造に組み込まれていた、いずれも有用な物体に変えられたふたと容器とを切り離した結果を示す。
【図８】容器のふたから切り離されたときの、中空であり、両端が開口しているスカートを示す図である。
【発明を実施するための形態】
【００３７】
プラスチック多目的ボトルは、特別に設計されたいくつかの特徴を有する。以下、図面及び番号を参照しながら、より詳細な説明を提供する。
【００３８】
図１は完全なプラスチックボトルを示す。また、上ベルト（５）及び下ベルト（７）を見ることが可能である。これら二つのベルト（５、７）がボトルを三つの区分に分割する。図はまた、ねじ込み栓（１）、ふた（２）、上ベルト（５）の上リング（３）、上ベルト（５）の下リング（４）、スカート（６）、下ベルト（７）の上リング（８）、下ベルト（７）の下リング（９）及び容器（１０）を示す。
【００３９】
図３は、その三つの区分に切り離されたボトルを示す。上区分（１１）と呼ばれる上寄り部分、中間区分（１２）と呼ばれる中間部分及び下区分（１３）と呼ばれる下寄り部分。下寄り部分は容器（１０）を表す。
【００４０】
ボトルの液体内容物が消費されると、完全なボトルは、機械的切断によって三つの区分に容易に切り離されるように設計されている。これらの切断をベルト（５、７）に加えることにより、上区分（１１）が中間区分（１２）から切り離され、中間区分（１２）が下区分（１３）から切り離される。
【００４１】
上区分（１１）、すなわちふた（２）（図３を参照）は、図２に示す切断ガイド（１７）を援用して上ベルト（５）の周囲をナイフ又は他の鋭利な物体で切断することにより、中間区分（１２）、すなわちスカート（６）（図３を参照）から切り離されるように設計されている。下区分（１３）、すなわち容器（１０）（図３を参照）は、切断ガイド（１７）（図２を参照）を用いて下ベルト（７）の周囲をナイフ又は他の鋭利な物体で切断することにより、中間区分（１２）、すなわちスカート（６）（図３を参照）から切り離されるように設計されている。
【００４２】
ベルト（５、７）（図２を参照）は、その全外形の周囲で接続された二つの円形のリング（３、４、８、９）を含む。切断プロセスは、切断ガイド（１７）と呼ばれる、これら二つのリングの中央接続部に加えられるように設計されている（図２を参照）。
【００４３】
三つの区分が切り離されると、下区分（１３）が容器（１０）になる。容器（１０）は、従来のグラス（１４）の形態及び外観で製造されることもできるし（図４を参照）、容器（１５）の形態を有することもできる（図６を参照）。容器（１０）と呼ばれる下区分に関して他の形態及び態様を使用することもできる。
【００４４】
容器（１０）は、その外面に印刷物を有するように設計されている。
【００４５】
スカート（６）と呼ばれる中間区分（１２）は、容器（１０）及びふた（２）から切り離されると（図８を参照）、非常に柔軟で軽い、両端が開口した中空の物体を提示し、これが、ボトルのうち、捨てられるように設計されている唯一の部分である。スカート（６）は柔軟であるため、圧縮することが容易であり、したがって、プラスチック廃棄物の体積は小さい。
【００４６】
ボトルの上区分（１１）は、その設計に組み込まれたふた（２）を有する。ボトルの従来のふた栓を使用することもでき、それが捨てられることはない。本発明をより良く理解するために、このふた栓はねじ込み栓（１）である（図１を参照）。本発明に関して、いかなるタイプのボトルふた（１）を使用してもよいことが理解されよう。
【００４７】
ふた（２）は、容器（１０）の内容物を覆い、保護するように設計されている。
【００４８】
ふた（２）は、容器（１０）の上縁の上かつ周囲にぴったり嵌る（図５を参照）。このタイプのふた（２）は、そのねじ込み栓（１）が配されると、容器（１０）の内容物を虫、ほこり及び他の環境汚染物質から保護する。ふた（２）は、容器から飲む場合、容器に物を詰める場合又は他の用途のために、容器から簡単に切り離される。
【００４９】
容器の内容物をストローで消費する場合には、ねじ込み栓（１）を取り外して、その動作を容易にすることもできる。
【００５０】
ふた（２）が容器（１０）の上に押し下げられるならば、上ベルト（５）の上リング（３）（図３を参照）が、下ベルト（７）の下リング（９）（図３を参照）の上に堅固に嵌って、容器とふた（１６）との間に接続を形成する（図７を参照）。堅固に嵌ったふた（２）は、ユーザによって容易に引き抜かれる。このタイプのふた（２）は、容器（１０）を、固体及び液体を保存するための実用的で有用な容器（１５）に変える。
【００５１】
ねじ込み栓（１）（図７を参照）は、容器内容物（１０）へのアクセス及びサービスを容易にするために、抜き取ることができる。
【００５２】
ボトルの構造に組み込まれたふた（２）及び容器（１０）が切り離されると、その両方は、図５及び７に見てとれるように、有用な補完的物体になる。容器（１０）及びふた（２）は、空のボトルを消費者にとってきわめて有用な器具に変える。
【図１】
2010516580.tif 000003
【図２】
2010516580.tif 000004
【図３】
2010516580.tif 000005
【図４】
2010516580.tif 000006
【図５】
2010516580.tif 000007
【図６】
2010516580.tif 000008
【図７】
2010516580.tif 000009
【図８】
2010516580.tif 000010
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
ボトルの外形の周囲で接続された円形リングの対（３、４、８、９）によって形成された上ベルト（５）及び下ベルト（７）を含み、切断ガイド（１７）が、前記ボトルを上区分（１１）、中間区分（１２）及び下区分（１３）に切り離すための両リング対（３、４、８、９）の接続部を画定している、単一部材に作られたプラスチック多目的ボトルであって、
前記上区分（１１）がふた（２）及び前記上ベルト（５）の前記上リング（３）の下までを含み、前記下区分（１３）が、容器（１０）及び前記下ベルト（７）の下リング（９）の上までを含み
前記ふた（２）に接続された前記下リング（３）及び前記容器（１０）に接続された前記下リング（９）が接合されて、両要素で構成されたボトルを形成することを特徴とする、単一部材に作られたプラスチック多目的ボトル。
【請求項２】
前記リング（３、９）の接続が外し易いやり方で形成されている、請求項１記載の単一部材に作られたプラスチック多目的ボトル。
【請求項３】
前記リング（３、９）の接続が堅固なやり方で形成されている、請求項１記載の単一部材に作られたプラスチック多目的ボトル。
【請求項４】
前記ふた（２）がねじ込み栓（１）を含む、請求項１から３の何れか１項記載の単一部材に作られたプラスチック多目的ボトル。
【請求項５】
前記ふた（２）の外面に印刷物が設けられている、請求項１から４の何れか１項記載の単一部材に作られたプラスチック多目的ボトル。
【請求項６】
前記中間区分（１２）が、スカート（６）ならびに前記上ベルト（５）の下リング（４）の上まで及び前記下ベルト（７）の上リング（８）の下までを含む、請求項１から５の何れか１項記載の単一部材に作られたプラスチック多目的ボトル。
【請求項７】
前記中間区分（１２）に、それが収容する製品に関するラベル及びバーコードを有する印刷物が設けられている、請求項１から６の何れか１項記載の単一部材に作られたプラスチック多目的ボトル。
【請求項８】
前記中間区分（１２）が捨てられる、請求項１から７の何れか１項記載の単一部材に作られたプラスチック多目的ボトル。
【請求項９】
前記容器が従来のグラス（１４）である、請求項１から８の何れか１項記載の単一部材に作られたプラスチック多目的ボトル。
【請求項１０】
前記容器が貯蔵受け器（１５）である、請求項１から８の何れか１項記載の単一部材に作られたプラスチック多目的ボトル。
【請求項１１】
前記容器（１０）が任意の形状及び外観を有することができる、請求項１から８の何れか１項記載の単一部材に作られたプラスチック多目的ボトル。
【請求項１２】
前記容器（１０）の外面に印刷物が設けられている、請求項１から１１の何れか１項記載の単一部材に作られたプラスチック多目的ボトル。
【国際調査報告】
2010516580.tif 000011
2010516580.tif 000012
2010516580.tif 000013
2010516580.tif 000014